(57)【要約】【課題】  医療機器と連動可能なナースコールシステムの設備が無い場所でも、ナースコールシステムおよび医療機器が正しく連動するか否かを確認するための保守点検を臨床工学技士などが容易に実施することができるようにすることを目的とする。【解決手段】  ナースコールシステムが医療機器２０を接続する部分と同じ形状であり医療機器２０を接続するためのＩ／Ｆ部１２と、医療機器２０から出力された接点信号を入力することによりナースコールシステムおよび医療機器２０が正しく連動するか否かを報知する報知部１５とが一体的に形成されている。医療機器２０から出力された接点信号を入力部１３が入力したと判定部１４にて判断した場合に、制御部１１は報知部１５を動作させて、ナースコールシステムおよび医療機器２０が正しく連動することを報知する。【選択図】        図１
2009082251.tif 000002
【特許請求の範囲】
【請求項１】
患者が医療従事者を呼び出すためのナースコールシステムと前記患者の生命の維持や前記患者の状態を測定するための医療機器とを連動させて、前記患者および／または前記医療機器に異常が発生した場合に前記医療機器から出力された信号を入力することで前記医療従事者を呼び出すナースコールシステムおよび前記医療機器が正しく連動するか否かを確認するための医療機器点検装置であって、
前記ナースコールシステムが前記医療機器を接続する部分と同じ形状であり、前記医療機器を接続するための接続部と、
前記医療機器から出力された前記信号を前記接続部を介して入力する入力部と、
前記入力部が前記信号を入力したか否かを判定する判定部と、
前記接続部と一体的に形成され、前記ナースコールシステムおよび前記医療機器が正しく連動するか否かを報知する報知部と、
前記入力部が前記信号を入力したと前記判定部にて判断した場合に、前記ナースコールシステムおよび前記医療機器が正しく連動することを前記報知部により報知させる、または、前記入力部が前記信号を入力していないと前記判定部にて判断した場合に、前記ナースコールシステムおよび前記医療機器が正しく連動しないことを前記報知部により報知させる制御部と、
を具備することを特徴とする医療機器点検装置。
【発明の詳細な説明】
【技術分野】
【０００１】
本発明は、病院などで使用されるＭＥ（Ｍｅｄｉｃａｌ  Ｅｎｇｉｎｅｅｒｉｎｇ）機器などの医療機器の動作を点検する医療機器点検装置に関する。
【背景技術】
【０００２】
医療機器は、病院の病床や手術室、集中治療室内の患者の近辺（例えば、ベッド近傍など、以下、単に病室とする）に設置され、患者に対して検査、診断、監視に使用される。また、医療機器の中でも、人工呼吸器や心電図モニタなどのＭＥ機器は、患者の生命維持や患者の状態の監視など極めて重要な医療行為で使用される。
【０００３】
使用時に各病室へ貸し出される医療機器は、通常、医療機器管理室に保管される。使用後、医療機器は、貸し出し先の病室から医療機器管理室に返却される。返却された医療機器は、いつでも最良の状態で使用することができるように、医療機器に関して専門的な知識を有する臨床工学技士などによって保守点検が実施されている。
【０００４】
ところで、監視の対象者である患者の容体が急変した場合でも医療従事者がすぐに対応することができるように、医療従事者は、人工呼吸器の動作や心電図モニタから出力される計測値を常に監視する必要がある。また、ナースコールシステムおよび医療機器を連動させる技術が知られている（例えば、特許文献１を参照）。特許文献１に記載のナースコールシステムは、病室に設置される通信端末と、この通信端末に接続され、スタッフルームに設置される通信装置とから構成されている。この通信端末には、医療機器を接続するためのコンセントが設けられている。医療機器に接続されている伝送線の先端に設けられているプラグは、このコンセントと対となっている形状であり、コンセントに差し込まれる。通信端末は、コンセントにプラグを差し込むことにより、医療機器と接続される。また、通信端末は、接続した医療機器から入力する信号を解析して、入力した信号が医療機器の異常を示すものである場合に呼び出しを行う。一方、通信装置は、通信端末からの呼び出しによりスタッフルームに居る医療従事者を呼び出すための報知を行う。これにより、医療従事者は、医療機器が異常な状態であることを把握することができる。
【特許文献１】特開２００２−１４３１００号公報
【０００５】
ところで、ナースコールシステムおよび医療機器が正しく連動しているか否かを確認するための保守点検は、以下のような手法で行われていた。例えば、通信端末が設置されている病室に医療機器を持って行き、医療機器を通信端末に接続した状態で実際に動作させていた。この動作は、患者の状態を測定した値が異常値であることを示す擬似的に生成された測定信号を医療機器に出力させたり、医療機器の故障などにより患者の状態を測定できなくなったことを示すアラーム信号を強制的に医療機器に出力させたりするものである。そして、測定信号やアラーム信号を入力した通信装置が呼び出しを報知することで、ナースコールシステムおよび医療機器が正しく連動しているか否かを確認するための保守点検を実施していた。しかしながら、医療機器が保管されている医療機器管理室には、ナースコールシステムの設備が無いことが多いため、そのような医療機器管理室では、ナースコールシステムおよび医療機器が正しく連動しているか否かを確認するための保守点検を実施することができないという問題があった。また、特許文献１に記載のナースコールシステムの通信端末は、病室に固定的に設置されているため、通信端末が設置されている病室に医療機器を持って行く労力があっても、通信端末が設置されている全ての病室に患者が居るような場合には、前述した保守点検を実施することができないという問題があった。
【発明の開示】
【発明が解決しようとする課題】
【０００６】
本発明は、このような問題を解決するために成されたものであり、医療機器と連動可能なナースコールシステムの設備が無い場所でも、ナースコールシステムおよび医療機器が正しく連動するか否かを確認するための保守点検を臨床工学技士などが容易に実施することができるようにすることを目的とする。
【課題を解決するための手段】
【０００７】
上述した課題を解決するために、本発明の医療機器点検装置は、ナースコールシステムが医療機器を接続する部分と同じ形状であり、医療機器を接続する接続部と医療機器から出力された信号を入力したときにナースコールシステムおよび医療機器が正しく連動することを報知する報知部とを少なくとも一体的に形成するようにしている。
【発明の効果】
【０００８】
上記のように構成した本発明によれば、医療機器を接続する接続部と医療機器から出力された信号を入力することによりナースコールシステムおよび医療機器が正しく連動するか否かを報知する報知部とが一体的に形成されている。これにより、医療機器の保守点検を行う臨床工学技士などは、医療機器が保管されている医療機器管理室内で報知された結果を確認することができ、医療機器管理室内でナースコールシステムおよび医療機器が正しく連動するか否かを確認するための保守点検を実施することができる。従って、臨床工学技士などは、保守点検を実施するために、ナースコールシステムの通信端末が設置されている病室まで医療機器を持って行ったり、スタッフルームまでモニタを確認しに行ったりする必要がなくなる。また、臨床工学技士などは、ナースコールシステムの通信端末が設置されている病室の空き状況などに関係なく、いつでも保守点検を実施することができる。そのため、臨床工学技士などの業務効率を向上させることができる。
【発明を実施するための最良の形態】
【０００９】
以下、本発明の一実施形態を図面に基づいて説明する。本実施形態による医療機器点検装置１０を含む医療機器点検システムのブロック図を図１に示す。同図に示すように、医療機器点検システムは、医療機器点検装置１０、医療機器２０を備えて構成されている。また、医療機器点検装置１０は、制御部１１、インタフェース（特許請求の範囲の接続部に該当する、以下、Ｉ／Ｆとする）部１２、入力部１３、判定部１４、報知部１５を備えて構成されている。また、医療機器点検装置１０は、伝送線を介して医療機器２０を接続し、医療機器２０から出力された接点信号（医療機器２０に接続されているナースコール子機や医療機器点検装置１０を制御するための電気信号）を入力する。
【００１０】
また、医療機器２０は、図示しない医療機器用制御部、測定部、医療機器用設定部、医療機器用判定部、医療機器用出力部、医療機器用報知部を備えて構成されている。医療機器用制御部は、医療機器２０の各構成要素を後述するように制御する。測定部は、患者の容体や医療機器２０の動作を測定し、測定した結果を測定値として医療機器用制御部へ出力する。医療機器用設定部は、患者の容体や医療機器２０に異常が発生しているか否かを判定するための規定値を予め設定するためのものである。医療機器用判定部は、測定部により測定された測定値が医療機器用設定部にて予め設定されている規定値から外れているか否か、および、医療機器２０に異常が発生しているか否かを判定する。医療機器用出力部は、接点信号を外部へ出力する。医療機器用報知部は、患者の容体や医療機器２０に異常が発生したことを報知する。
【００１１】
ここで、患者の容体や医療機器２０に異常が発生していると医療機器用判定部にて判断した場合に、医療機器用制御部は、医療機器２０の内部に設けられている図示しないリレーに通電する。通電したリレーは、開いている状態のスイッチを閉じて接点信号を出力する。そして、医療機器用出力部は、リレーから出力された接点信号を外部へ出力する。なお、本実施形態では、通電したリレーは、開いている状態のスイッチを閉じて接点信号を出力しているが、これに限定されない。例えば、通電したリレーは、閉じている状態のスイッチを開いて接点信号を出力するようにしても良い。
【００１２】
また、医療機器２０としては、人工呼吸器や心電図モニタなどが適用可能である。人工呼吸器は、患者に対して呼吸を強制的に行わせる呼吸動作を行うものであり、その呼吸動作と同時に自装置による呼吸動作が正常に行われているか否かを監視する。また、人工呼吸器は、その監視結果を外部に報知する。具体的には、測定部は、実際に呼吸動作を行ったときの呼吸量および呼吸数を測定する。医療機器用判定部は、測定部により測定した実際の呼吸量および呼吸数が医療機器用設定部にて予め設定しておいた呼吸量および呼吸数に合致しているか否かを判定する。測定部により測定した実際の呼吸量および呼吸数が医療機器用設定部にて予め設定しておいた呼吸量および呼吸数に合致していない（すなわち、呼吸動作が異常である）と医療機器用判定部にて判断した場合には、医療機器用制御部は、医療機器用報知部を動作させて、人工呼吸器が異常であることを報知する。
【００１３】
また、心電図モニタは、患者の心臓の活動を電気的に測定するものであり、その測定値が規定値内であるか否かを監視する。また、心電図モニタは、その監視結果を外部に報知する。具体的には、測定部は、患者の心臓の活動を電気的に測定し、その測定値を出力する。医療機器用判定部は、測定部により測定した測定値が医療機器用設定部にて予め設定しておいた規定値内であるか否かを判定する。測定部により測定した測定値が医療機器用設定部にて予め設定しておいた規定値内ではない（すなわち、心電図モニタが異常であったり、患者が異常な状態になったりしている）と医療機器用判定部にて判断した場合には、医療機器用制御部は、医療機器用報知部を動作させて、心電図モニタが異常であったり、患者が異常な状態になったりしていることを報知する。
【００１４】
また、医療機器用制御部は、医療機器用報知部の動作と併せて接点信号を出力する動作を行う。医療機器用制御部にて接点信号を出力する動作が行われると、医療機器用出力部は、接点信号を外部へ出力する。通常、医療機器２０を使用する場合には、ナースコールシステムが医療機器２０から出力された接点信号を入力して報知を行うために、図示しないナースコールシステムは、伝送線を介して医療機器２０に接続される。ここで、ナースコールシステムとは、患者が医療従事者を呼び出すためのものである。また、ナースコールシステムは、ナースコール子機、ナースコール親機を備えて構成されている。ナースコール子機は、病室の患者の近辺に設置されており、伝送線を介してナースコール親機に接続されている。また、ナースコール親機は、医療従事者の居る部屋（例えば、スタッフルームなど）に設置されており、患者からの呼び出しを報知し、医療従事者が患者からの呼び出しに応答するためのものである。
【００１５】
ナースコールシステムおよび医療機器２０を接続する場合、医療機器２０に接続されている伝送線の先端に設けられているプラグをナースコール子機に設けられているコンセントに接続する。このプラグとコンセントとは、対を成す形状である。医療従事者は、このコンセントに医療機器２０のプラグを差し込む。これにより、伝送線を介して医療機器２０とナースコール子機との間に通信路が形成され、ナースコール子機は、医療機器２０から出力された接点信号を入力することができる。ここで、ナースコール子機は、医療従事者を呼び出すために患者により操作される呼出ボタンを備えた子機本体と、病室内の壁面に設置され、子機本体を接続するウォールユニットとから構成されている。また、コンセントは、子機本体に設けられていても良いし、ウォールユニットに設けられていても良い。
【００１６】
接点信号を入力したナースコール子機は、医療従事者を呼び出すための呼出信号を生成し、ナースコール親機へ送信する。そして、ナースコール子機から送信された呼出信号を受信したナースコール親機は呼び出しを報知する。これにより、患者の容体や医療機器２０に異常が発生した場合に、医療機器２０から出力された接点信号をナースコール子機にて入力することにより、ナースコールシステムは、医療機器２０と連動して呼び出しを報知することができる。
【００１７】
図２は、本実施形態による医療機器点検装置１０の外観例を示す図である。本実施形態による医療機器点検装置１０は、医療機器２０の保守点検時に使用される。同図に示すように、医療機器点検装置１０の筐体は、臨床工学技士が容易に持ち運び可能に形成されている。これにより、臨床工学技士は、保守点検を実施する場所（例えば、スタッフルームや病室などのナースコールシステムの設備が有る場所）まで医療機器２０を持ち運ぶ必要がなくなる。また、医療機器点検装置１０の筐体の図中正面部分には、Ｉ／Ｆ部１２を構成するコンセント１２１が形成されている。ここで、コンセント１２１は、医療機器２０のプラグが接続されるナースコール子機のコンセントと同じ形状である。また、筐体の図中上面部分には報知部１５を構成する表示ランプ１５１が取り付けられている。また、報知部１５を構成するスピーカは、筐体に内蔵されている。また、筐体の図中側面部分には、スピーカから出力された通知音を外部へ放音するためのスピーカ孔１５２が形成されている。このように、医療機器点検装置１０は、医療機器２０を接続するＩ／Ｆ部１２とナースコールシステムおよび医療機器２０が正しく連動するか否かを報知する報知部１５とを一体的に形成している。また、医療機器点検装置１０は、乾電池などの筐体に内蔵されているバッテリーから電力を供給している。
【００１８】
制御部１１は、医療機器点検装置１０の各構成要素を後述するように制御する。Ｉ／Ｆ部１２は、医療機器点検装置１０が医療機器２０から出力された接点信号を入力部１３にて入力するために、医療機器２０を接続する。具体的には、医療機器２０のプラグは、Ｉ／Ｆ部１２を構成するコンセント１２１に差し込まれる。これにより、伝送線を介して医療機器点検装置１０と医療機器２０との間に通信路が形成され、医療機器点検装置１０は、医療機器２０から出力された接点信号を入力することができる。
【００１９】
ところで、保守点検を実施する際には、実際に医療機器２０を使用する患者に医療機器２０が取り付けられていないため、医療機器２０は接点信号を出力することはない。そのため、保守点検を実施する臨床工学技士は、自身の身体に医療機器２０を取り付けるなどをして、擬似的に医療機器２０を使用状態とする。しかしながら、臨床工学技士が正常な状態である場合には、医療機器２０は依然として接点信号を出力することはない。正常な状態である臨床工学技士に医療機器２０を取り付けた状態でも医療機器２０が接点信号を出力するように、臨床工学技士は、医療機器２０の医療機器用設定部を操作して医療機器用判定部が正常と判定する規定値を設定し直す。具体的には、規定値は、正常な状態を示す範囲外に設定される。これにより、正常な状態である臨床工学技士に取り付けた医療機器２０から接点信号が出力される。
【００２０】
入力部１３は、Ｉ／Ｆ部１２により接続された医療機器２０から接点信号を入力する。判定部１４は、医療機器点検装置１０と医療機器２０との間で通信路が形成されている場合、医療機器２０から出力された接点信号を入力部１３が入力したか否かを判定する。医療機器２０から出力された接点信号を入力部１３が入力していないと判定部１４にて判断した場合には、制御部１１は後述する報知部１５を動作させない。制御部１１が報知部１５を動作させないということは、ナースコール子機が呼出信号を生成しないことと同様である。このことから、制御部１１は、ナースコールシステムおよび医療機器２０が正しく連動しないと見なす。そして、医療機器２０から出力された接点信号を入力部１３が入力するまで、または、医療機器点検装置１０の動作を終了するまで、判定部１４は、医療機器２０から出力された接点信号を入力部１３が入力したか否かを判定する。
【００２１】
一方、医療機器２０から出力された接点信号を入力部１３が入力したと判定部１４にて判断した場合には、制御部１１は後述する報知部１５を動作させる。制御部１１が報知部１５を動作させるということは、ナースコール子機が呼出信号を生成することと同様である。このことから、制御部１１は、ナースコールシステムおよび医療機器２０が正しく連動すると見なす。
【００２２】
報知部１５は、ナースコールシステムおよび医療機器２０が正しく連動することを報知するものであり、表示ランプ１５１やスピーカなどにより構成されている。医療機器２０から出力された接点信号を入力部１３が入力したと判定部１４にて判断した場合には、制御部１１は報知部１５を動作させて、表示ランプ１５１を点灯または点滅させたり、スピーカから通知音を出力させたりして、ナースコールシステムおよび医療機器２０が正しく連動することを報知する。
【００２３】
以上詳しく説明したように、本実施形態による医療機器点検装置１０は、医療機器２０を接続するＩ／Ｆ部１２と医療機器２０から出力された接点信号を入力することによりナースコールシステムおよび医療機器２０が正しく連動することを報知する報知部１５とが一体的に形成されている。これにより、臨床工学技士などは、医療機器２０が保管されている医療機器管理室内に医療機器点検装置１０を持ち込んで、医療機器管理室内でナースコールシステムおよび医療機器２０が正しく連動することを確認するための保守点検を実施することができる。従って、医療機器２０の保守点検を実施するために、臨床工学技士などは、ナースコール子機が設置されている病室まで医療機器２０を持って行ったり、ナースコール親機が設置されているスタッフルームまでモニタを確認しに行ったりする必要がなくなる。また、ナースコール子機が設置されている病室の空き状況などに関係なく、臨床工学技士などは、いつでも保守点検を実施することができる。そのため、臨床工学技士などの業務効率を向上させることができる。
【００２４】
なお、前述した実施形態では、医療機器２０から出力された接点信号を入力部１３が入力したと判定部１４にて判断した場合に、ナースコールシステムおよび医療機器２０が正しく連動するものとして、制御部１１は報知部１５を動作させるようにしているが、これに限定されない。例えば、医療機器２０から出力された接点信号を入力部１３が入力していないと判定部１４にて判断した場合に、ナースコールシステムおよび医療機器２０が正しく連動しないものとして、制御部１１は報知部１５を動作させるようにしても良い。
【００２５】
また、前述した実施形態では、報知部１５は、表示ランプ１５１やスピーカを備えているが、これに限定されない。例えば、報知部１５は、入力部１３が接点信号を入力したことを表示するためのディスプレイを備えるようにしても良い。
【００２６】
また、前述した実施形態では、医療機器点検装置１０は、乾電池などの筐体に内蔵されているバッテリーから電力を供給するようにしているが、これに限定されない。例えば、医療機器点検装置１０は、電源アダプタから電力を供給するようにしても良い。
【００２７】
また、前述した実施形態では、医療機器点検装置１０の筐体には、１つのコンセント１２１が形成されているが、これに限定されない。例えば、ナースコールシステムのプラグの形状に合わせた複数のコンセント１２１を医療機器点検装置１０の筐体に形成するようにしても良い。また、複数のコンセント１２１を形成した場合には、接続を切り替えるためのスイッチを筐体に設けるようにしても良い。
【００２８】
また、前述した実施形態では、医療機器点検装置１０は、医療機器２０から出力された接点信号を入力したか否かによって、ナースコールシステムおよび医療機器２０が正しく連動するか否かの判定を行うようにしているが、これに限定されない。例えば、医療機器点検装置１０は、医療機器２０から出力された患者の状態を測定した値が異常値であることを示す測定信号または患者の状態を測定することができなくなったことを示すアラーム信号を入力したか否かによって、ナースコールシステムおよび医療機器２０が正しく連動する否かの判定を行うようにしても良い。
【００２９】
また、前述した実施形態では、医療機器２０から出力された接点信号を入力部１３が入力したと判定部１４にて判断した場合には、制御部１１は報知部１５を動作させて、表示ランプ１５１を点灯または点滅させたり、スピーカから通知音を出力させたりするようにしているが、これに限定されない。例えば、伝送線を介して医療機器点検装置１０と医療機器２０との間に通信路が形成されたと制御部１１にて判断した場合に、制御部１１は、報知部１５を動作させて、表示ランプ１５１を点灯または点滅させたり、スピーカから通知音を出力させたりするようにしても良い。この場合、制御部１１は、医療機器点検装置１０と医療機器２０との間に通信路が形成されたときと、接点信号を入力したときとで、表示ランプ１５１を点灯または点滅させるパターンを変更するようにしても良い。ここで、表示ランプ１５１を点灯または点滅させるパターンとは、表示ランプ１５１の明るさや色、点滅の間隔などである。
【００３０】
その他、医療機器点検装置１０および医療機器点検装置１０を含む医療機器点検システムの構成、処理手順、内容等についても、この発明の要旨を逸脱しない範囲で種々変形して実施することができる。また、上記実施形態に開示されている複数の構成要素の組み合わせにより種々の発明を形成することができる。例えば、実施形態に示される全構成要素からいくつかの構成要素を削除するようにしても良い。さらに、異なる実施形態に亘る構成要素を適宜組み合わせるようにしても良い。
【図面の簡単な説明】
【００３１】
【図１】本実施形態による医療機器点検装置を含む医療機器点検システムのブロック図である。
【図２】本実施形態による医療機器点検装置の外観例を示す説明図である。
【符号の説明】
【００３２】
１０    医療機器点検装置
１１    制御部
１２    インタフェース（Ｉ／Ｆ）部
１３    入力部
１４    判定部
１５    報知部
２０    医療機器
１２１  コンセント
１５１  表示ランプ
１５２  スピーカ孔
【図１】
2009082251.tif 000003
【図２】
2009082251.tif 000004